(57)【特許請求の範囲】
【請求項１】
導電性の材質でなり、面を有する電極素子と、
上記電極素子の面に所定間隔離間して複数接続され、頭髪を頭皮との間で挟むことなく該頭皮に接触できる程度の太さに形成され、耐乾性を有する液及び導電性を有する液を含む耐乾性電解液が染み込まれる耐乾性電解液染込部と、
上記耐乾性電解液染込部と同程度の高さで形成され、該耐乾性電解液染込部の太さより大きな面積でなる面に該耐乾性電解液染込部が挿通される孔が貫通して設けられ、上記耐乾性電解液染込部が該孔に挿通された状態で上記耐乾性電解液染込部の上記電極素子とは反対側の先端が被験者の頭皮に所定の押付力で押し付けられる際に、該被験者の頭皮との間で挟まれた頭髪の厚さ分だけ収縮する収縮性を有する支持部と
を有する生体信号検出電極。
【請求項２】
上記支持部は、
上記耐乾性電解液が染み込まれ、上記孔に上記耐乾性電解液染込部が挿通された状態で上記耐乾性電解液染込部と接触する
請求項１に記載の生体信号検出電極。
【請求項３】
上記支持部は、
上記電極素子側の面より、該面とは反対側の面の面積の方が大きい
請求項２に記載の生体信号検出電極。
【請求項４】
互いに隣接する上記耐乾性電解液染込部同士が、該耐乾性電解液染込部の直径より離間している
請求項１に記載の生体信号検出電極。
【請求項５】
導電性の材質でなり、面を有する電極素子と、上記電極素子の面に所定間隔離間して複数接続され、頭髪を頭皮との間で挟むことなく該頭皮に接触できる程度の太さに形成され、耐乾性を有する液及び導電性を有する液を含む耐乾性電解液が染み込まれる耐乾性電解液染込部と、上記耐乾性電解液染込部と同程度の高さで形成され、該耐乾性電解液染込部の太さより大きな面積でなる面に該耐乾性電解液染込部が挿通される孔が貫通して設けられ、上記耐乾性電解液染込部が該孔に挿通された状態で上記耐乾性電解液染込部の上記電極素子とは反対側の先端が被験者の頭皮に所定の押付力で押し付けられる際に、該被験者の頭皮との間で挟まれた頭髪の厚さ分だけ収縮する収縮性を有する支持部とを有する電極と、
上記電極を装着者の頭皮に所定の押付力で押し付ける押付手段と
を有する生体信号検出装置。
【発明の詳細な説明】
【技術分野】
【０００１】
本発明は生体信号検出電極及び生体信号検出装置に関し、例えば脳波を電気信号として取得する場合などに適応して好適なものである。
【背景技術】
【０００２】
従来、脳波を取得する装置として、多数の電極が設けられたヘッドギア等を被験者に装着させ、該被験者の頭皮に接触した多数の電極から脳波信号を取得するようになされたものがある。
【０００３】
この装置では、電極を頭皮に接触させる際、頭髪の存在や頭部の形状に個人差があることから、電極を導電性のペーストで頭皮に接着するようになされている。
【０００４】
従って、この装置では、多数の電極をそれぞれ頭皮に接着させなければならず煩雑な作業を強いるばかりでなく、ペーストを剥がす際に洗髪等の作業も強いることになる。
【０００５】
そこで、生理食塩水または生理食塩水とアルコールの混合液でなる導電液が含浸された弾性部材を導電部材の先端に密着配置し、該弾性部材を頭皮に押し付けることにより生理食塩水または混合液が染み出し、生理食塩水または混合液を介して導電部材と頭皮とを通電状態にするようになされた電極が提案されている（例えば特許文献１、特許文献２参照）。
【０００６】
また、導電液を含む先端が丸みを帯びた棒状のフェルト棒を複数束にして接着させたフェルト片を頭皮に接触させることにより、脳波信号を取得するようになされた電極も提案されている（例えば特許文献３参照）。
【先行技術文献】
【特許文献】
【０００７】
【特許文献１】特開２００６−６６６６公報
【特許文献２】特開２００６−３４４２９公報
【特許文献３】特開平１０−１６５３８６号公報
【発明の概要】
【発明が解決しようとする課題】
【０００８】
ところで上述した特許文献１〜３に記載のような電極は、生理食塩水または生理食塩水とアルコールの混合液を導電液として用いているので、該導電液は蒸発しやすく、長時間の測定では該導電液が蒸発することにより頭皮との通電状態が不良となって正確な脳波信号を測定できなくなる場合があるといった問題があった。
【０００９】
また特許文献１、特許文献２に記載のような電極は、導電部材と頭皮の通電状態を良好にするため、頭皮に接触する導電部材の面積を例えば、約１９［ｍｍ２］〜約３１４［ｍｍ２］にしているため、導電部材が頭髪を挟んで頭皮に押し付けられることになる。従って、弾性部材と頭皮が物理的に接触せずに頭髪を挟んで接触する分、測定の安定性にかけるものである。
【００１０】
また特許文献３に記載のような電極は、先端が丸みを帯びたフェルト棒が複数束にされているので、該フェルト片が頭皮に押し付けられる際にフェルト棒の先端が頭皮に直接接触する可能性が増すものの、例えば頭髪量が多い場合などにはフェルト片と頭皮とが物理的に接触せずに頭髪を挟む可能性があり、測定の安定性にかけるものである。
【００１１】
本発明は以上の点を考慮してなされたもので、長時間、安定して生体信号を測定し得る生体信号検出電極及び生体信号検出装置を提案しようとするものである。
【課題を解決するための手段】
【００１２】
かかる課題を解決するため本発明においては、生体信号検出電極であって、導電性の材質でなり、面を有する電極素子と、電極素子の面に所定間隔離間して複数接続され、頭髪を頭皮との間で挟むことなく該頭皮に接触できる程度の太さに形成され、耐乾性を有する液及び導電性を有する液を含む耐乾性電解液が染み込まれる耐乾性電解液染込部と、耐乾性電解液染込部と同程度の高さで形成され、該耐乾性電解液染込部の太さより大きな面積でなる面に該耐乾性電解液染込部が挿通される孔が貫通して設けられ、耐乾性電解液染込部が該孔に挿通された状態で耐乾性電解液染込部の電極素子とは反対側の先端が被験者の頭皮に所定の押付力で押し付けられる際に、該被験者の頭皮との間で挟まれた頭髪の厚さ分だけ収縮する収縮性を有する支持部とを有する。
【００１３】
また本発明においては、生体信号検出装置であって、導電性の材質でなり、面を有する電極素子と、電極素子の面に所定間隔離間して複数接続され、頭髪を頭皮との間で挟むことなく該頭皮に接触できる程度の太さに形成され、耐乾性を有する液及び導電性を有する液を含む耐乾性電解液が染み込まれる耐乾性電解液染込部と、耐乾性電解液染込部と同程度の高さで形成され、該耐乾性電解液染込部の太さより大きな面積でなる面に該耐乾性電解液染込部が挿通される孔が貫通して設けられ、耐乾性電解液染込部が該孔に挿通された状態で耐乾性電解液染込部の電極素子とは反対側の先端が被験者の頭皮に所定の押付力で押し付けられる際に、該被験者の頭皮との間で挟まれた頭髪の厚さ分だけ収縮する収縮性を有する支持部とを有する電極と、電極を装着者の頭皮に所定の押付力で押し付ける押付手段とを有する。
【００１４】
これにより、頭皮に耐乾性電解液染込部の先端を接触させる際に、頭髪が存在する場合であっても該先端を頭皮に容易に接触させることができ、また耐乾性を有する液により導電性を有する液の蒸発を抑えることができる。
【発明の効果】
【００１５】
以上のように本発明によれば、頭皮に耐乾性電解液染込部の先端を接触させる際に、頭髪が存在する場合であっても該先端を頭皮に容易に接触させることができ、また耐乾性を有する液により導電性を有する液の蒸発を抑えることができ、かくして長時間、安定して生体信号を測定することができる。
【図面の簡単な説明】
【００１６】
【図１】電極の構成を示す略線図である。
【図２】支持部を外した電極の構成を示す略線図である。
【図３】電極の断面図である。
【図４】頭皮に接触した際の様子を示す略線図である。
【図５】コイル電極を示す略線図である。
【図６】抵抗値測定結果を示す略線図である。
【図７】脳波測定結果を示す略線図である。
【図８】生体信号検出装置の構成及び装着状態を示す略線図である。
【図９】信号処理部の構成を示す略線図である。
【図１０】他の実施の形態における電極を示す略線図である。
【発明を実施するための形態】
【００１７】
以下、発明を実施するための形態について説明する。なお、説明は以下の順序とする。
１．第１の実施の形態
２．他の実施の形態
【００１８】
＜１．第１の実施の形態＞
［１．電極の構成］
図１に、本願発明の一実施の形態である電極１を示す。電極１は、電極素子２、耐乾性電解液染込部３、支持部４及び導線５を含む構成とされる。
【００１９】
電極素子２は、例えば金などの導電性の高い材質が略円盤状に形成され、円盤状の側面の所定位置に導線５が接続される。
【００２０】
耐乾性電解液染込部３は、図２及び図３に示すように、直径が約２ｍｍ、長さが約１０ｍｍ程度の略円柱に形成され、電極素子２とは反対側の先端部３Ａが略半球状に形成される。耐乾性電解液染込部３は、紙、木、プラスチック等でなる芯棒３Ｂの先端部３Ａを含む側面全体に例えば脱脂綿でなる繊維片３Ｃが巻きつけられる。
【００２１】
耐乾性電解液染込部３は、繊維片３Ｃが巻きつけられていない他端側が電極素子２の一面側に導電性の接着剤などにより接着される。
【００２２】
耐乾性電解液染込部３は、電極素子２の一面側に４つ取り付けられており、互いに隣接する耐乾性電解液染込部３同士はその直径より離間して配置され、それぞれの配置位置は所定の大きさの正方形の頂点に対応する。
【００２３】
この耐乾性電解液染込部３の繊維片３Ｃには、導電性を有する生理食塩水（塩化ナトリウム約１％）が約３０％、保水性が高いグリセリンが約７０％の割合で混合された耐乾性電解液が染み込まれている。
【００２４】
従って、耐乾性電解液は、耐乾性電解液染込部３の先端部３Ａが被験者の頭皮に接触した際、生理食塩水を介して脳波信号を電極素子２に伝達すると共に、グリセリンにより生理食塩水の蒸発を抑える。
【００２５】
これにより耐乾性電解液染込部３に染み込まれた耐乾性電解液は、長時間の測定においても乾燥することなく脳波信号を安定して電極素子２に伝達することができる。
【００２６】
支持部４は、伸縮性がある例えばポリウレタンが略円錐台形に形成されており、高さが耐乾性電解液染込部３の長さより若干短い長さ（例えば、８ｍｍ）、上面が電極素子２と略同一の面積、底面４Ａが上面より大きな面積に形成される。
【００２７】
支持部４は、耐乾性電解液染込部３と同程度の直径の貫通孔が該耐乾性電解液染込部３の配置位置と対応して上面から底面４Ａにかけて４つ設けられる。従って電極１では、支持部４の貫通孔に耐乾性電解液染込部３が挿通されると、支持部４の底面４Ａから耐乾性電解液染込部３の先端部３Ａが突出する。
【００２８】
また支持部４は、底面４Ａにおける中心を基準として貫通孔を含む所定範囲の領域に御椀形の窪みが形成される。これにより電極１が頭皮に接触した際にも、支持部４は、窪み部分が頭皮と接触することなく、底面４Ａにおける窪み部分以外の外周部が頭皮または頭髪と接触するようになされている。
【００２９】
ところで電極１は、被験者の脳波を測定する際に用いられる場合、該被験者の頭皮に耐乾性電解液染込部３の先端部３Ａを接触させ、耐乾性電解液染込部３、電極素子２及び導線５を介して脳波信号を取得し得る。
【００３０】
従って電極１は、頭髪の存在や頭部の形状に個人差に関わらず、耐乾性電解液染込部３の先端部３Ａが被験者の頭皮に接触する必要がある。
【００３１】
電極１は、図４（Ａ）に示すように、頭髪が存在しない頭皮５０において使用される場合、頭皮５０方向に所定の押付力で押し付けられると、耐乾性電解液染込部３の先端部３Ａが頭皮５０に接触した状態となる。
【００３２】
このとき、電極１は、耐乾性電解液染込部３が支持部４の高さより若干長いものの、押付力により先端部３Ａが縮み、支持部４の底面４Ａが頭皮５０に接触する。因みに、耐乾性電解液染込部３の先端部３Ａは丸みを帯びているため、所定の押付力により電極１が頭皮５０に押し付けられても、装着者にはほとんど痛みを与えることはない。
【００３３】
従って電極１は、頭髪が存在しない頭皮５０において使用される場合、所定の押付力により耐乾性電解液染込部３の先端部３Ａが頭皮５０に接触した状態を維持し続けることができる。
【００３４】
また電極１は、支持部４の底面４Ａが頭皮５０に当接することにより、より広い面で頭皮５０と接触するので、先端部３Ａが頭皮５０に接触した状態をより安定して維持し続けることができる。
【００３５】
一方、電極１は、図４（Ｂ）に示すように、頭髪５１が存在する頭皮５０において使用される場合、頭皮５０方向に所定の押付力で押し付けられると、支持部４の底面４Ａと頭皮５０との間に頭髪５１が挟まれ、その間の頭髪５１の量に応じた分だけ支持部４が変形して高さ方向に収縮する。
【００３６】
そして電極１は、支持部４が高さ方向に収縮することにより、支持部４の底面４Ａと頭皮５０の間の高さ分だけ支持部４の底面４Ａから耐乾性電解液染込部３の突出する部分が増加し、耐乾性電解液染込部３の先端部３Ａが頭皮５０と接触する。
【００３７】
なお耐乾性電解液染込部３は、直径が２ｍｍ程度であり先端部３Ａが略半球状に形成されているため、電極１が所定の押付力で頭皮５０に押し付けられる際、頭皮５０との間で頭髪５１を挟むことなく頭皮５０に先端部３Ａが接触する。
【００３８】
従って電極１は、頭髪５１が存在する頭皮５０において使用される場合、所定の押付力により、頭髪５１が挟まれる支持部４の底面４Ａと頭皮５０の間の厚さ分だけ支持部４が厚さ方向に収縮する。従って電極１は、その分だけ耐乾性電解液染込部３が支持部４から突出して先端部３Ａが頭皮５０に接触した状態を維持し続けることができる。
【００３９】
このとき電極１は、支持部４の底面４Ａが頭髪５１を挟んで収縮変形しているので、元に戻ろうとする力により頭髪５１を頭皮５０側に押し付けることになり、その力で先端部３Ａが頭皮５０に接触した状態をより安定して維持し続けることができる。
【００４０】
［２．測定結果］
次に、電極１、図５に示す市販されている脳波測定用のコイル電極１００、及び後述する脳波測定時において基準とされる電極（以下、これを基準電極とも呼ぶ）の抵抗値の測定結果を示す。
【００４１】
因みに、コイル電極１００は、導線を含む本体部（株式会社デジテックス研究所社製ＡＰ−Ｃ３００）１０１における電極面に円コイル型の電極チップ（株式会社デジテックス研究所社製ＡＰ−Ｐ１１０ｍ）１０２が導電性の両面接着テープで接着される。
【００４２】
なお、抵抗値の測定は、ＰｏｌｙｍａｔｅII（株式会社デジテックス研究所社製／ＡＰ２１６）に付属されるソフトウェアにおけるインピーダンスチェックモードにより測定された。
【００４３】
また、抵抗値を測定する際には、電極１及びコイル電極１００がそれぞれ装着者の頭頂付近に配置され、また基準電極が装着者の耳朶に配置され、これら電極とは別に装着者の耳朶に配置された電極をこの測定における基準の電極として用いて測定された。
【００４４】
測定結果を図６に示す。なお、抵抗値を測定する際には医療用スタンダードである１０［ｋΩ］がレンジに設定された。測定結果は、基準電極の抵抗値は３４［ｋΩ］、コイル電極１００の抵抗値は１００［ｋΩ］を超えており、電極１の抵抗値は脳波測定における許容範囲である８８［ｋΩ］となった。従って電極１は、脳波を測定するために十分な抵抗値であることがわかる。
【００４５】
このように、頭皮は皮脂分泌が多いことに加えて代謝も早く角質層ができやすいので、コイル電極１００のようなドライ電極では抵抗値が大きく脳波の測定は困難である。これに対して電極１は、耐乾性電解液染込部３に耐乾性電解液が染み込まれた湿式電極であるため、皮脂分泌が多く角質層ができやすくても、十分に脳波を測定することができる。
【００４６】
次に、基準電極を耳朶に配置し、頭頂に配置された電極１及びコイル電極１００で測定された脳波を図７に示す。図７からも明らかなように、電極１及びコイル電極１００は、ほぼ同じ振幅の脳波を測定できていることがわかる。従って電極１は、市販されている電極と同様に脳波を正確に測定することができる。
【００４７】
［３．生体信号検出装置の全体構成］
図８に、電極１を用いた生体信号検出装置１０の全体構成を示す。生体信号検出装置１０は、頭部を支持可能な支持体（以下、これをヘアバンド部とも呼ぶ）１１を有する。このヘアバンド部１１は、弾力をもつ板状のプラスチック材又は金属材でなりＣ字状に形成される。
【００４８】
ヘアバンド部１１には、Ｃ字状に湾曲した内側の面における所定の位置（装着された際に装着者の頭頂と対向する位置）に電極１が取り付けられる。
【００４９】
ヘアバンド部１１の一端及び他端側には、ゴム等の材質でなる滑り止め部１２及び１３がそれぞれ設けられる。この滑り止め部１２及び１３はその先端が湾曲状とされ、頭部に対する食い込みを防止し得るようになされている。
【００５０】
生体信号検出装置１０は、装着者に装着された際、滑り止め部１２、１３及び電極１が該装着者に接触することにより３点支持されるとともに、電極１を装着者の頭皮に押し付ける押付力を発生させる。
【００５１】
これにより生体信号検出装置１０は、耐乾性電解液染込部３の先端部３Ａを装着者の頭皮に接触した状態を維持させ続けることができる。
【００５２】
［４．生体信号検出装置の回路構成］
図９において、生体信号検出装置１０の所定の位置に設けられた信号処理部２０を示す。この信号処理部２０は、差動アンプ３１、フィルタ３２、Ａ／Ｄ（Analog/Digital）変換部３３、解析部３４、メモリ３５及び通信部３６を含む構成とされる。
【００５３】
差動アンプ３１は、電極１と、例えば装着者の耳朶に配される基準電極（図示せず）との電位差を脳波信号として増幅し、該増幅した生体信号をフィルタ３２に与える。
【００５４】
フィルタ３２には、測定対象とすべき周波数帯域が設定される。フィルタ３２は、設定される周波数帯域以外の信号成分を除去し、該除去した脳波信号をＡ／Ｄ変換部３３に与える。
【００５５】
この実施の形態では、測定対象とすべき周波数帯域は脳波に対応する周波数帯域とされ、該脳波に対応する周波数帯域以外の信号成分が除去された脳波信号がＡ／Ｄ変換部３３に与えられる。
【００５６】
ちなみに脳波に対応する周波数帯域には、デルタ波（１〜３[Ｈｚ]）、シータ波（４〜７[Ｈｚ]）、アルファ波（８〜１３[Ｈｚ]）、ベータ波（１４〜３０[Ｈｚ]）、ガンマ波（３１〜６４[Ｈｚ]）、オメガ波（６５〜１２８[Ｈｚ]）、ロー波（１２９〜５１２[Ｈｚ]）、シグマ波（５１３〜１０２４[Ｈｚ]）があるが、これら一部又は全部が測定対象とすべき周波数帯域として、所定の操作部で変更可能に設定される。
【００５７】
Ａ／Ｄ変換部３３は、脳波信号をディジタルデータ（以下、これを脳波データとも呼ぶ）に変換し、該脳波データを解析部３４に与える。
【００５８】
解析部３４は、ＣＰＵ（Central Processing Unit）、ＲＯＭ（Read Only Memory）及びＣＰＵのワークメモリであるＲＡＭ（Random Access Memory）を含む構成とされる。このＲＯＭには、解析処理を実行させるプログラムなどが記憶される。
【００５９】
解析部３４は、測定の開始命令を受けた場合、ＲＯＭに格納されるプログラムをＲＡＭに展開し、該プログラムにしたがって各種処理を実行するようになされており、Ａ／Ｄ変換部３３から与えられる脳波データをメモリ３５に記憶する。
【００６０】
また解析部３４は、Ａ／Ｄ変換部３３から与えられる脳波データに基づいて、ノンレム睡眠又はレム睡眠のステージを判定し、その判定結果を脳波データに関連付けるようになされている。
【００６１】
なお、ステージの判定は、例えば、単位時間当たりのデルタ波、シータ波又はアルファ波などの出現率や、所定の出現率が持続する期間などを要素として判定される。
【００６２】
通信部３６は、例えば無線通信により、解析部３４から与えられる脳波データやメモリ３５に記憶された脳波データを操作部からの命令に応じて、所定の外部機器に送信し得るようになされている。
【００６３】
［５．動作及び効果］
以上の構成において、電極１は、頭髪を挟むことなく頭皮に接触できる程度の太さ（例えば２ｍｍ）に形成された耐乾性電解液染込部３が導電性の電極素子２に複数接続される。この耐乾性電解液染込部３は、保水性（耐乾性）を有する液（グリセリン）及び導電性を有する液（生理食塩水）を含む耐乾性電解液が染み込まれている。
【００６４】
これにより、電極１では、先端部３Ａが被験者の頭皮５０に接触した際、耐乾性電解液染込部３を介して脳波信号を電極素子２に伝達することができる。このとき電極１は、上述したように脳波信号を測定するために十分な抵抗値であるため、脳波信号を正確に測定できる。
【００６５】
また電極１は、耐乾性電解液に耐乾性を有する液（グリセリン）が含まれているため、導電性を有する液（生理食塩水）の蒸発を抑えることができるので、長時間の測定に用いられる場合であっても安定して脳波を測定することができる。
【００６６】
また電極１は、耐乾性電解液染込部３が挿通される孔を有し、頭皮５０と接触する底面４Ａが該耐乾性電解液染込部３より十分に大きい、収縮性を有する支持部４が設けられる。
【００６７】
これにより電極１は、耐乾性電解液染込部３の先端部３Ａが頭皮５０に接触した際に、より広い面積を有する支持部４の底面４Ａが頭皮５０又は頭髪５１と接触することになるので、先端部３Ａが頭皮５０に接触した状態をより安定して維持し続けることができる。
【００６８】
また電極１は、被験者の頭髪５１が存在する場合であっても、頭髪５１が挟まれる支持部４の底面４Ａと頭皮５０の間の厚さ分だけ支持部４が高さ方向に収縮する。従って電極１は、元に戻ろうとする力により頭髪５１を頭皮５０側に押し付けることになるので、その力で先端部３Ａが頭皮５０に接触した状態をより安定して維持し続けることができる。
【００６９】
また支持部４は、耐乾性電解液染込部３がほとんどの部分を覆うように密着して挿通されているため、該耐乾性電解液染込部３に染み込まれた耐乾性電解液の乾燥を抑えることができ、より長時間の測定が可能となる。
【００７０】
以上の構成によれば、頭髪を掻き分けて頭皮に接触できる程度の太さに形成され、耐乾性電解液が染む込まれた耐乾性電解液染込部３が導電性の電極素子２に複数接続される。これにより耐乾性電解液染込部３の先端部３Ａを頭皮５０に容易に接触させることができ、また導電性を有する液の蒸発を抑えることができるので、長時間、安定した脳波測定を行うことができる。
【００７１】
＜２．他の実施の形態＞
上述した実施の形態においては、耐乾性電解液染込部として芯棒３Ｂに繊維片３Ｃが巻きつけられた耐乾性電解液染込部３が用いられるようにした場合について述べたが、本発明はこれに限らず、その他の形状を有する耐乾性電解液染込部が用いられてもよい。
【００７２】
その一例として、図１０（Ａ）に示すように、コイル電極１００の耐乾性電解液染込部１０３は、全体として略円形状に形成され、芯棒１０３Ｂに繊維片１０３Ｃが巻きつけられ、先端部１０３Ａが丸みを帯びた略円錐形に形成される。
【００７３】
また別例として、図１０（Ｂ）に示すように、電極２００の耐乾性電解液染込部２０３は、全体として略円形状に形成され、先端部２０３Ａが略半球状をした圧縮フェルト棒でなる。圧縮フェルト棒でなる耐乾性電解液染込部２０３は、毛細管現象により耐乾性電解液を内部に蓄えておくことができ、これにより先端部２０３Ａに頭皮５０が接触した場合、脳波信号を電極素子２に伝達することができる。また圧縮フェルト棒でなる耐乾性電解液染込部２０３は、頭皮５０に接触した際に折れ曲がることがない程度の強度を有する。
【００７４】
さらに別例として、図１０（Ｃ）に示すように、電極３００の耐乾性電解液染込部３０３は、全体として略円形状に形成され、先端部３０３Ａが略円錐形をした圧縮フェルト棒でなる。
【００７５】
このように、耐乾性電解液染込部としては、耐乾性電解液を内部に含有しておくことができ、かつ頭皮と接触した際に折れ曲がらない程度の強度を有する材質が適応できる。
【００７６】
また上述した実施の形態においては、耐乾性電解液染込部３の直径が約２ｍｍである場合について説明したが、本発明はこれに限らず、頭髪を頭皮との間で挟むことなく該頭皮に到達できる程度の太さであればよく、約２ｍｍ以下とされる。
【００７７】
また上述した実施の形態においては、耐乾性電解液として、生理食塩水及びグリセリンが３：７の割合で混合されるようにした場合について述べた。本発明はこれに限らず、導電性と保液性との観点から、それぞれの性質を十分に保つことができるのであれば、生理食塩水とグリセリンとの割合が１：１などである耐乾性電解液を用いるようにしても良い。
【００７８】
また上述した実施の形態においては、耐乾性電解液における生理食塩水の蒸発を防ぐためにグリセリンが配合されるようにした場合について述べた。本発明はこれに限らず、生理食塩水の蒸発を防ぐために、生理食塩水に対してヒアルロン酸、コラーゲンなどの保水性の高い物質を混合した耐乾性電解液を用いるようにしても良い。
【００７９】
また上述した実施の形態においては、耐乾性電解液に導電性を有するために、生理食塩水を用いるようにした場合について述べた。本発明はこれに限らず、導電性を有するのであれば、例えば塩化カリウム水溶液を用いるようにしても良い。
【００８０】
また上述した実施の形態においては、支持部４が略円錐台形に形成されている場合について述べた。本発明はこれに限らず、例えば底面及び上面が例えば電極素子２と略同一面積である略円柱形状に形成されるようにしても良い。
【００８１】
また上述した実施の形態においては、支持部４は何も染み込まれていない場合について説明したが、本発明はこれに限らず、支持部４に耐乾性電解液を染み込ませるようにしてもよい。この場合、電極１は、支持部４と耐乾性電解液染込部３とが当接しているため、支持部４から耐乾性電解液染込部３へ耐乾性電解液が流入し、より長時間の測定に用いることができる。
【００８２】
また上述した実施の形態においては、電極１を被験者の頭皮に接触させる装置として生体信号検出装置１０を適応するようにした場合について述べた。本発明はこれに限らず、例えばヘッドギアなどのように所定の保持手段によって電極１を被験者の頭皮に接触させるようにしてもよい。すなわち、電極１を被験者の頭皮に押し続けるための押付力を発生させるものであればその保持手段は問わない。
【００８３】
また上述した実施の形態においては、耐乾性電解液を耐乾性電解液染込部３に染み込ませるだけにした場合について述べた。本発明はこれに限らず、耐乾性電解液を蓄えておく容器を例えば電極素子２の耐乾性電解液染込部３とは反対面側に設け、該容器と耐乾性電解液染込部３とを例えば繊維材などで接続するようにしてもよい。
【００８４】
また上述した実施の形態においては、電極素子として電極素子２、耐乾性電解液染込部として耐乾性電解液染込部３が設けられるようにした場合について述べた。本発明はこれに限らず、その他種々の構成でなる電極素子、耐乾性電解液染込部を設けるようにしても良い。
【産業上の利用可能性】
【００８５】
本発明は、医用産業やゲーム産業などにおいて利用可能性を有する。
【符号の説明】
【００８６】
１……電極、２……電極素子、３……耐乾性電解液染込部、４……支持部、５……導線、１０……生体信号検出装置、１１……バンド部、１２、１３……滑り止め部、２０……信号処理部、３１……差動アンプ、３２……フィルタ、３３……Ａ／Ｄ変換部、３４……解析部、３５……メモリ、３６……通信部。
【図１】
0005516137.tif 000002
【図２】
0005516137.tif 000003
【図３】
0005516137.tif 000004
【図４】
0005516137.tif 000005
【図８】
0005516137.tif 000006
【図９】
0005516137.tif 000007
【図１０】
0005516137.tif 000008
【図５】
0005516137.tif 000009
【図６】
0005516137.tif 000010
【図７】
0005516137.tif 000011